(57)【要約】【課題】経済的に、血流を増加させることができる血流量増加装置を提供する。【解決手段】この血流量増加装置４９は、炭酸泉改良ユニット４で炭酸ガスマイクロナノバブルまたは炭酸ガスナノバブルの少なくとも一方を含有する浴槽水を作製し上記浴槽水を炭酸カルシウム鉱物１６,２２,活性炭２３が充填された水槽７,８,９に流入させる。上記浴槽水は炭酸泉改良ユニット４から浴槽１へ導入される。浴槽水が含有する炭酸ガスマイクロナノバブルまたは炭酸ガスナノバブルで水槽７,８,９に充填された炭酸カルシウム鉱物を溶解させて、カルシウムイオンやマグネシウムイオンの溶解を促進できる。水槽に充填された活性炭に繁殖した微生物によって浴槽水を浄化できる。効率よく発生させた炭酸ガスマイクロナノバブル,炭酸ガスナノバブルを含有すると共に浄化された浴槽水が炭酸泉改良ユニット４から浴槽１へ導入される。【選択図】図１
2008206887.tif 000002
【特許請求の範囲】
【請求項１】
炭酸カルシウム鉱物と活性炭が充填された水槽を有すると共に炭酸ガスマイクロナノバブルまたは炭酸ガスナノバブルの少なくとも一方を含有する浴槽水を作製し、かつ、上記浴槽水が上記水槽に流入する炭酸泉改良ユニットと、
上記炭酸泉改良ユニットから上記浴槽水が導入される浴槽部とを備えることを特徴とする血流量増加装置。
【請求項２】
請求項１に記載の血流量増加装置において、
上記炭酸泉改良ユニットは、
マイクロナノバブル発生機が設置されていると共に浴槽水に炭酸ガスマイクロナノバブルを含有させる第１槽と、
上記第１槽からの浴槽水が流入すると共に炭酸カルシウム鉱物が充填された第２槽と、
上記第２槽からの浴槽水が流入すると共に炭酸カルシウム鉱物が充填された第３槽と、
上記第３槽からの浴槽水が流入すると共に活性炭が充填された第４槽と、
上記第４槽からの浴槽水が流入すると共にナノバブル発生機が付属している第５槽とを有することを特徴とする血流量増加装置。
【請求項３】
請求項２に記載の血流量増加装置において、
上記マイクロナノバブル発生機に供給する気体が、炭酸ガス供給ユニットからの炭酸ガスであることを特徴とする血流量増加装置。
【請求項４】
請求項２に記載の血流量増加装置において、
上記ナノバブル発生機に供給する気体が、炭酸ガス供給ユニットからの炭酸ガスであることを特徴とする血流量増加装置。
【請求項５】
請求項２または３に記載の血流量増加装置において、
上記マイクロナノバブル発生機に連結された炭酸ガス供給ユニットと、
上記第５槽内に設置されたｐＨ計と、
上記ｐＨ計から上記浴槽水のｐＨ値を表す信号が入力されると共にこの信号が示すｐＨ値に応じて上記マイクロナノバブル発生機の運転を制御するｐＨ調節計とを備えることを特徴とする血流量増加装置。
【請求項６】
請求項５に記載の血流量増加装置において、
上記マイクロナノバブル発生機の運転と上記ナノバブル発生機の運転とが連動していることを特徴とする血流量増加装置。
【請求項７】
請求項２に記載の血流量増加装置において、
上記マイクロナノバブル発生機が、水中ポンプ型マイクロナノバブル発生機または旋回流型マイクロナノバブル発生機であり、
上記ナノバブル発生機が、気液混合気体せん断方式ナノバブル発生機であることを特徴とする血流量増加装置。
【請求項８】
請求項２または３に記載の血流量増加装置において、
上記マイクロナノバブル発生機に連結された炭酸ガス供給ユニットと、
上記第５槽内に設置された溶存炭酸ガス計と、
上記溶存炭酸ガス計から上記浴槽水の溶存炭酸ガス濃度を表す信号が入力されると共にこの信号が示す溶存炭酸ガス濃度に応じて上記マイクロナノバブル発生機の運転を制御する溶存炭酸ガス調節計とを備えることを特徴とする血流量増加装置。
【請求項９】
請求項２に記載の血流量増加装置において、
上記ナノバブル発生機は、
マイクロバブル発生部を有する気液混合循環ポンプと、
上記気液混合循環ポンプで作製したマイクロバブルをせん断してナノバブルを発生させる気体せん断部と、
上記マイクロバブル発生部に供給される気体量を調節するニードルバルブと、
上記気液混合循環ポンプ,気体せん断部,ニードルバルブを接続する配管とを有することを特徴とする血流量増加装置。
【請求項１０】
請求項１に記載の血流量増加装置において、
上記炭酸泉改良ユニットは、
上記炭酸ガスマイクロナノバブルを発生するマイクロナノバブル発生機と上記炭酸ガスナノバブルを発生するナノバブル発生機のうちのいずれか一方を有することを特徴とする血流量増加装置。
【請求項１１】
請求項１または２に記載の血流量増加装置において、
上記浴槽部から上記炭酸泉改良ユニットへ浴槽水が導入されると共に、上記浴槽水に含まれる人体からの有機物としての垢を、上記炭酸泉改良ユニットの水槽に充填された活性炭に繁殖させた微生物で処理することを特徴とする血流量増加装置。
【請求項１２】
請求項１または２に記載の血流量増加装置において、
上記活性炭はネット状容器に充填されており、このネット状容器の下部から炭酸ガスナノバブル水を吐出させる吐出部を有することを特徴とする血流量増加装置。
【請求項１３】
請求項１に記載の血流量増加装置を有することを特徴とする糖尿病治療装置。
【請求項１４】
請求項１に記載の血流量増加装置を有することを特徴とする美容装置。
【請求項１５】
請求項１に記載の血流量増加装置を有することを特徴とする育毛促進装置。
【請求項１６】
請求項１に記載の血流量増加装置を有することを特徴とする中枢神経疾患治療装置。
【請求項１７】
請求項１に記載の血流量増加装置を有することを特徴とする心血管系疾患治療装置。
【請求項１８】
請求項１に記載の血流量増加装置を有することを特徴とする代謝異常疾患治療装置。
【請求項１９】
請求項１に記載の血流量増加装置を有することを特徴とする消化器疾患治療装置。
【請求項２０】
請求項１に記載の血流量増加装置を有することを特徴とする運動器疾患治療装置。
【請求項２１】
請求項１に記載の浴槽装置を有することを特徴とする皮膚科領域疾患治療装置。
【発明の詳細な説明】
【技術分野】
【０００１】
この発明は、血流量増加装置に関し、例えば、炭酸ガスの極微細な気泡によって血流量を増加させることで各種疾患に有効となる血流量増加装置に関する。
【背景技術】
【０００２】
従来から、炭酸泉が、血流量を増加させるとの医学的な知見がある。炭酸泉に代表される炭酸ガスを約１０００ｐｐｍ含有している温泉は、欧州とくにドイツにおいて存在し、古くより、各種医学的治療に炭酸泉として活用されてきた。
【０００３】
日本においては、炭酸ガスを約１０００ｐｐｍ含有している温泉が存在しないことから、あらゆる疾病に対応可能、すなわち、医学的治療可能な温泉は存在しないものの、ＭＲＣ・ホームプロダクツ株式会社により、人工的に１０００ｐｐｍ以上の高濃度の炭酸ガスを含む浴槽水(人工炭酸泉)を製造する装置が開発された。この装置の構造,機能は、水を通さず気体のみを通過させる半透膜,多層複合中空糸膜を使って炭酸ガスを浴槽水に溶け込ませる装置である。
【０００４】
また、日本では血液の流れが悪くなる糖尿病患者が約８００万人とも言われており、糖尿病による合併症から腎臓人工透析へ発展した場合や足の末端付近の血流悪化を原因とする壊疽による足の切断の事例もある。ここで、人の足の血流が悪化した場合に効果がある改善方法としては、浴槽システムに、多数の旋回流方式のマイクロナノバブル発生機を設置し（現在知られているものとしては、１０台の旋回流方式のマイクロナノバブル発生機を設置し）、浴槽水内に大量のマイクロナノバブルを発生させる方法がある。
【０００５】
しかしながら、この方法は、多数のマイクロナノバブル発生機を運転するための電気代や、多数のマイクロナノバブル発生機のイニシャルコストに起因する浴槽の製造コストが高く、この方法を実用化することは、現実的ではない。すなわち、浴槽装置において、経済的に、糖尿病の症状を回復できる装置は、見出されていない。
【０００６】
従来、ナノバブルを利用した方法および装置としては、特開２００４−１２１９６２号公報（特許文献１）に記載されているものがある。
【０００７】
ここで、この方法および装置は、ナノバブルが有する浮力の減少、表面積の増加、表面活性の増大、局所高圧場の生成、静電分極の実現による界面活性作用および殺菌作用等の特性を活用している。この方法および装置は、それらの作用を相互に関連させて、汚れ成分の吸着機能、物体表面の高速洗浄機能、および、殺菌機能を向上させるようにしている。そして、各種物体を、高機能、低環境負荷で洗浄し、汚濁水の浄化を行うようになっている。
【０００８】
また、従来、ナノ気泡を生成する方法としては、特開２００３−３３４５４８号公報（特許文献２）に記載されているものがある。
【０００９】
この方法は、液体中において、液体の一部を分解ガス化する工程、液体中で超音波を印加する工程、または、液体の一部を分解ガス化する工程及び超音波を印加する工程から構成されている。
【００１０】
また、従来、オゾンマイクロバブルを利用する廃液の処理装置としては、特開２００４−３２１９５９号公報（特許文献３）に記載されているものがある。
【００１１】
この処理装置は、オゾン発生装置より生成されたオゾンガスをマイクロナノバブル発生装置に供給すると共に、処理槽の下部から抜き出された廃液を加圧ポンプを介してマイクロナノバブル発生装置に供給している。また、生成されたオゾンマイクロバブルをガス吹き出しパイプの開口部より処理槽内の廃液中に通気している。
【００１２】
また、従来、二酸化炭素によるマイクロバブルの応用技術が、特開２００６−３２０６７５号公報(特許文献４)に記載されている。この技術は、炭酸ガス容器と減圧弁を配し或る条件での圧力と流量で炭酸ガスをマイクロバブル発生装置の吸入空気取り入れ系統に供給している。
【００１３】
しかしながら、上記４つの技術を例とする既存のバブルを用いた技術を参照しても、経済的に、人体に特に好適な影響および効果を及ぼす装置を伺いしることができないという問題がある。
【特許文献１】特開２００４−１２１９６２号公報
【特許文献２】特開２００３−３３４５４８号公報
【特許文献３】特開２００４−３２１９５９号公報
【特許文献４】特開２００６−３２０６７５号公報
【発明の開示】
【発明が解決しようとする課題】
【００１４】
そこで、この発明の課題は、経済的に、血流を増加させることができる血流量増加装置を提供することにある。また、この発明の課題は、炭酸ガスマイクロナノバブルまたは炭酸ガスナノバブルの少なくとも一方を多量に経済的に発生させることができる血流量増加装置を提供することにある。また、この発明の課題は、特に、人体に特に好適な影響および効果を及ぼす血流量増加装置を提供することにある。
【課題を解決するための手段】
【００１５】
上記課題を解決するため、この発明の血流量増加装置は、炭酸カルシウム鉱物と活性炭が充填された水槽を有すると共に炭酸ガスマイクロナノバブルまたは炭酸ガスナノバブルの少なくとも一方を含有する浴槽水を作製し、かつ、上記浴槽水が上記水槽に流入する炭酸泉改良ユニットと、
上記炭酸泉改良ユニットから上記浴槽水が導入される浴槽部とを備えることを特徴としている。
【００１６】
この発明の血流量増加装置によれば、炭酸泉改良ユニットでは、浴槽水が含有する炭酸ガスマイクロナノバブルまたは炭酸ガスナノバブルの少なくとも一方で、水槽に充填された炭酸カルシウム鉱物を溶解させて、カルシウムイオンやマグネシウムイオンの溶解を促進できる。よって、マイクロナノバブルやナノバブルの発生効率を高める効果がある。また、水槽に充填された活性炭に繁殖した微生物によって浴槽水を浄化できる。なお、炭酸泉とは、炭酸ガスを含有する浴槽水を言う。
【００１７】
こうして、効率良く発生させた炭酸ガスマイクロナノバブルまたは炭酸ガスナノバブルの少なくとも一方を含有すると共に浄化された浴槽水が上記炭酸泉改良ユニットから浴槽へ導入される。この浴槽水は、皮膚から炭酸ガスの吸収が良く、吸収された炭酸ガスが毛細血管に取り込まれて、血流量増加作用や血行促進作用を発揮する。よって、この発明の血流量増加装置によれば、経済的に、血流を増加させることができる。
【００１８】
また、一実施形態の血流量増加装置は、上記炭酸泉改良ユニットは、マイクロナノバブル発生機が設置されていると共に浴槽水に炭酸ガスマイクロナノバブルを含有させる第１槽と、
上記第１槽からの浴槽水が流入すると共に炭酸カルシウム鉱物が充填された第２槽と、
上記第２槽からの浴槽水が流入すると共に炭酸カルシウム鉱物が充填された第３槽と、
上記第３槽からの浴槽水が流入すると共に活性炭が充填された第４槽と、
上記第４槽からの浴槽水が流入すると共にナノバブル発生機が付属している第５槽とを有する。
【００１９】
この実施形態によれば、炭酸泉改良ユニットの第１槽において、マイクロナノバブル発生機が浴槽水にマイクロナノバブルを発生させ、このマイクロナノバブルを含有する浴槽水が第２水槽に流入する。このマイクロナノバブルを含有する浴槽水が第２水槽に充填された炭酸カルシウム鉱物を溶解させ、カルシウムイオンやマグネシウムイオンの溶解を促進する。これにより、マイクロナノバブルやナノバブルの発生効率を高める効果がある。
【００２０】
なお、炭酸カルシウム鉱物としては、牡蠣殻やサンゴが、一般的であるが、中国地方の山から採掘可能な、自然の炭酸カルシウム(商品としての寒水石)も採用可能である。牡蠣殻やサンゴは、海からの産物であるため、溶解するとカルシウム、マグネシウム等多くの無機イオンを含有しており、マイクロナノバブルやナノバブルが浴槽水の中で発生し易くなる。このことは、水道水よりも海水の方が、マイクロナノバブルやナノバブルが発生し易いのと同じ現象である。一方、マイクロナノバブルやナノバブルの存在下では、活性炭に微生物が繁殖し、また活性化して、浴槽水のように一例として３７℃から４２℃の温度範囲でも浴槽水中の有機物としての汚れを微生物学的に分解する。
【００２１】
また、一実施形態の血流量増加装置は、上記マイクロナノバブル発生機に供給する気体が、炭酸ガス供給ユニットからの炭酸ガスである。
【００２２】
この実施形態によれば、炭酸ガス供給ユニットからマイクロナノバブル発生機に炭酸ガスが供給され、このマイクロナノバブル発生機は炭酸ガスマイクロナノバブルを浴槽水に含有させる。この浴槽水に含まれる炭酸ガスマイクロナノバブルは、炭酸ガスが本来有している血流量増加作用に加えて、マイクロナノバブルであることでもって、皮膚からの吸収を高めて、毛細血管に取り込まれて、全身を血液と共に巡り、血流量増加作用,血行促進作用を発揮できる。
【００２３】
また、一実施形態の血流量増加装置は、上記ナノバブル発生機に供給する気体が、炭酸ガス供給ユニットからの炭酸ガスである。
【００２４】
この実施形態によれば、炭酸ガス供給ユニットからナノバブル発生機に炭酸ガスが供給され、このナノバブル発生機は炭酸ガスナノバブルを浴槽水に含有させる。この浴槽水に含まれる炭酸ガスナノバブルは、炭酸ガスが本来有している血流量増加作用に加えて、ナノバブルであることでもって、皮膚からの吸収を高めて、毛細血管に取り込まれて、全身を血液と共に巡り、血流量増加作用を効率的かつ強力に発揮できる。
【００２５】
このように、炭酸ガス供給ユニットを用いて浴槽水に炭酸ガスを含有させ、続いて、浴槽水に炭酸ガスを溶解させることにより、浴槽水のｐＨが、一例として４近くまで低下し、その結果、水槽内に充填している牡蠣殻などの炭酸カルシウム鉱物が容易に溶解して、牡蠣殻の成分であるカルシウム、マグネシウム等の無機イオンが多量に浴槽水中に溶解する。そして、浴槽水に無機イオンが多く存在することでもって、炭酸ガスマイクロナノバブル、炭酸ガスナノバブルを効率的に製造できることとなる。
【００２６】
また、一実施形態の血流量増加装置は、上記マイクロナノバブル発生機に連結された炭酸ガス供給ユニットと、
上記第５槽内に設置されたｐＨ計と、
上記ｐＨ計から上記浴槽水のｐＨ値を表す信号が入力されると共にこの信号が示すｐＨ値に応じて上記マイクロナノバブル発生機の運転を制御するｐＨ調節計とを備える。
【００２７】
この実施形態によれば、炭酸泉改良ユニットにおける第５槽内にｐＨ計が設置され、第５槽外部にｐＨ調節計が設置され、このｐＨ調節計からの信号で、上記炭酸ガス供給ユニットに連結されたマイクロナノバブル発生機が運転される。したがって、浴槽水に炭酸ガスが予定量溶け込んで、炭酸カルシウム鉱物の中のカルシウムイオン等が溶け出して浴槽水のｐＨを上昇させ、かつ、マイクロナノバブルが発生し易い条件であるカルシウムイオン量となった時点(例えば浴槽水のｐＨ６.５)で、上記マイクロナノバブル発生機の運転を自動停止可能なシステムを実現できる。
【００２８】
また、一実施形態の血流量増加装置は、上記マイクロナノバブル発生機の運転と上記ナノバブル発生機の運転とが連動している。
【００２９】
この実施形態によれば、マイクロナノバブル発生機の運転とナノバブル発生機の運転が連動しているので、サイズ分布が幅広いバブルでもって、活性炭に繁殖した微生物による浴槽水の浄化がなされる。さらに、マイクロバブルによって炭酸カルシウム鉱物が物理的に撹拌されて溶解され、また、２種類のバブル発生機によって炭酸マイクロナノバブルおよび炭酸ナノバブルへの生成,進行を促進できる。
【００３０】
また、一実施形態の血流量増加装置は、上記マイクロナノバブル発生機が、水中ポンプ型マイクロナノバブル発生機または旋回流型マイクロナノバブル発生機であり、上記ナノバブル発生機が、気液混合気体せん断方式ナノバブル発生機である。
【００３１】
この実施形態によれば、上記水中ポンプ型または旋回流型マイクロナノバブル発生機および気液混合気体せん断方式ナノバブル発生機の３種類のバブル発生機は、浴槽水での運転実績があり、システムの信頼性、血流増加作用の信頼性に効果があり、医療用として採用することができる。
【００３２】
また、一実施形態の血流量増加装置は、上記マイクロナノバブル発生機に連結された炭酸ガス供給ユニットと、
上記第５槽内に設置された溶存炭酸ガス計と、
上記溶存炭酸ガス計から上記浴槽水の溶存炭酸ガス濃度を表す信号が入力されると共にこの信号が示す溶存炭酸ガス濃度に応じて上記マイクロナノバブル発生機の運転を制御する溶存炭酸ガス調節計とを備える。
【００３３】
この実施形態によれば、溶存炭酸ガス計は浴槽水中の炭酸ガス濃度を直接測定することができるので、炭酸ガスによる血流増加作用を短時間の内に制御,管理、および観測,測定できる。
【００３４】
また、一実施形態の血流量増加装置は、上記ナノバブル発生機は、マイクロバブル発生部を有する気液混合循環ポンプと、
上記気液混合循環ポンプで作製したマイクロバブルをせん断してナノバブルを発生させる気体せん断部と、
上記マイクロバブル発生部に供給される気体量を調節するニードルバルブと、
上記気液混合循環ポンプ,気体せん断部,ニードルバルブを接続する配管とを有する。
【００３５】
この実施形態によれば、信頼性の高いナノバブル発生機を構築でき、このナノバブル発生機で浴槽水中に含有させた炭酸ガスナノバブルが皮膚から吸収され、炭酸ガスによる血流増加作用をより確実なものにすることができる。
【００３６】
なお、マイクロバブル発生部を有する気液混合循環ポンプとは、ポンプ本体が、マイクロナノバブルを発生させることができるポンプである。一般的には、ポンプと発生部は別個のものであるが、この気液混合循環ポンプ３３は、マイクロバブル発生部を有する。そして、全体システムとしてのナノバブル発生機は、第１段目の段階で、マイクロバブル発生部を有する気液混合循環ポンプでマイクロバブルを発生し、製造し、第２段目の段階では、気体せん断部でナノバブルを発生させる。また、必要に応じて、ニードルバルブの開度制御によって空気量を正確に調節する。また、より正確な制御が必要な場合は、気液混合循環ポンプの回転数制御を行うシステムを構築してもよい。
【００３７】
また、一実施形態の血流量増加装置では、上記炭酸泉改良ユニットは、上記炭酸ガスマイクロナノバブルを発生するマイクロナノバブル発生機と上記炭酸ガスナノバブルを発生するナノバブル発生機のうちのいずれか一方を有する。
【００３８】
この実施形態によれば、炭酸泉改良ユニットをシンプルな構成とすることができると同時に、イニシャルコストやランニングコストを低減できる。なお、バブル発生機を１台だけ有する場合は、１台のナノバブル発生機を運転する方が好ましい。その理由は、マイクロナノバブルに比べてナノバブルの方が血流増加作用の面で効果的であることにある。
【００３９】
また、一実施形態の血流量増加装置では、上記浴槽部から上記炭酸泉改良ユニットへ浴槽水が導入されると共に、上記浴槽水に含まれる人体からの有機物としての垢を、上記炭酸泉改良ユニットの水槽に充填された活性炭に繁殖させた微生物で処理する。
【００４０】
この実施形態によれば、浴槽部で発生する人体からの垢(アカ)としての有機物を、上記炭酸泉改良ユニットの水槽に充填された活性炭に繁殖させた微生物で処理する。よって、浴槽水の繰り返し利用,再利用が可能になる。また、浴槽水の浄化が可能となるから、浴槽部で２４時間連続して入浴が可能となり、例えば２４時間営業の温泉やホテルでの使用に好適となる。また、浴槽水を排水しないで再利用することが可能になって、節水が可能となるメリットがある。また、ナノバブルの酸化作用でも有機物を分解できる。特に、ナノバブルが持つマイナス電荷により有機物を強力に酸化できる。
【００４１】
また、一実施形態の血流量増加装置では、上記活性炭はネット状容器に充填されており、このネット状容器の下部から炭酸ガスナノバブル水を吐出させる吐出部を有する。
【００４２】
この実施形態によれば、上記吐出部から吐出する炭酸ガスナノバブル水によって、活性炭で繁殖した微生物を活性化できる。なお、炭酸ガスが微生物を活性化する現象は、人間においても同様のことが言える。すなわち、人体においても、皮膚から炭酸ガスナノバブルが、吸収されて、毛細血管に入り、血液中の炭酸ガス濃度が高まると、全身を巡る血流量も増加し活性が高まる。これと同様、炭酸ガスナノバブルによって生物の一部である微生物も生理活性を示し、さらには、全ての生物の活性化が期待できる。
【００４３】
また、一実施形態の糖尿病治療装置は、上記血流量増加装置を有する。
【００４４】
この実施形態の糖尿病治療装置によれば、上記血流量増加装置を活用して浴槽部で入浴した人体に対し、浴槽水に含まれる炭酸ガスマイクロナノバブルまたは炭酸ガスナノバブルの少なくとも一方でもって血流量を増加できる。この血流量の増加でもって、糖尿病の症状を大きく改善させることができる。
【００４５】
なお、糖尿病の治療において、本発明の糖尿病治療装置による治療と、スルホニル尿素剤やビグアナイト剤等の血糖降下薬の服用とを、併用して行うと、非常に効果的である。本発明の糖尿病治療装置による治療と、血糖降下薬の服用による相乗効果は、非常に大きなものであり、上記相乗効果によって、糖尿病の症状を短期間で改善することができる。
【００４６】
また、一実施形態の美容装置は、上記血流量増加装置を有する。
【００４７】
この実施形態の美容装置によれば、上記血流量増加装置による血流増加効果でもって、効果的に美容を促進可能となる。
【００４８】
また、一実施形態の育毛促進装置では、上記血流量増加装置を有する。
【００４９】
この実施形態の育毛促進装置によれば、上記血流量増加装置による血流増加効果でもって、効果的に育毛を促進可能となる。
【００５０】
また、一実施形態の中枢神経疾患治療装置は、上記血流量増加装置を有する。
【００５１】
この実施形態の中枢神経疾患治療装置によれば、上記血流量増加装置による血流増加効果でもって、中枢神経疾患の症状を改善することができる。この中枢神経疾患には、アルツハイマー病や認知症等が含まれる。
【００５２】
また、一実施形態の心血管系疾患治療装置は、上記血流量増加装置を有する。
【００５３】
この実施形態の心血管系疾患治療装置によれば、上記血流量増加装置による血流増加効果でもって、心血管系疾患の症状を改善することができる。この心血管系疾患には、慢性心不全、高血圧、脳梗塞、心筋梗塞等が含まれる。
【００５４】
また、一実施形態の代謝異常疾患治療装置は、上記血流量増加装置を有する。
【００５５】
この実施形態の代謝異常疾患治療装置によれば、上記血流量増加装置による血流増加効果でもって、代謝異常疾患の症状を改善することができる。この代謝異常疾患には、肥満、高脂血症等が含まれる。
【００５６】
また、一実施形態の消化器疾患治療装置は、上記血流量増加装置を有する。
【００５７】
この実施形態の消化器疾患治療装置によれば、上記血流量増加装置による血流増加効果でもって、消化器疾患の症状を改善できる。この消化器疾患には、胃潰瘍、肝機能低下症等が含まれる。
【００５８】
また、一実施形態の運動器疾患治療装置は、上記血流量増加装置を有する。
【００５９】
この実施形態の運動器疾患治療装置によれば、上記血流量増加装置による血流増加効果でもって、運動器疾患の症状を改善できる。この運動器疾患には、関節リウマチ、関節炎等が含まれる。
【００６０】
また、一実施形態の皮膚科領域疾患治療装置は、上記血流量増加装置を有する。
【００６１】
この実施形態の皮膚科領域疾患治療装置によれば、上記血流量増加装置による血流増加効果でもって、皮膚科領域疾患の症状を改善できる。この皮膚科領域疾患には、皮膚老化,脱毛などが含まれる。
【発明の効果】
【００６２】
この発明の血流量増加装置によれば、炭酸泉改良ユニットでは、浴槽水が含有する炭酸ガスマイクロナノバブルまたは炭酸ガスナノバブルの少なくとも一方で、水槽に充填された炭酸カルシウム鉱物を溶解させて、カルシウムイオンやマグネシウムイオンの溶解を促進できる。よって、マイクロナノバブルやナノバブルの発生効率を高める効果がある。また、水槽に充填された活性炭に繁殖した微生物によって浴槽水を浄化できる。
【００６３】
こうして、効率よく発生させた炭酸ガスマイクロナノバブルまたは炭酸ガスナノバブルの少なくとも一方を含有すると共に浄化された浴槽水が上記炭酸泉改良ユニットから浴槽へ導入される。この浴槽水は、皮膚から炭酸ガスの吸収が良く、吸収された炭酸ガスが毛細血管に取り込まれて、血流量増加作用や血行促進作用を発揮する。よって、この発明の血流量増加装置によれば、経済的に、血流を増加させることができる。
【発明を実施するための最良の形態】
【００６４】
以下、この発明を図示の実施の形態により詳細に説明する。
【００６５】
(第１の実施の形態)
図１は、この発明の第１実施形態である血流量増加装置４９を模式的に示す図である。この血流量増加装置４９は、浴槽部としての浴槽１と炭酸泉改良ユニット４とを備えている。
【００６６】
図１においては、炭酸泉改良ユニット４の容量が浴槽１の容量の２倍程度に表現されているが、これは、炭酸泉改良ユニット４の設備内容を詳細に示しているからであり、実際には、浴槽１の容量が、炭酸泉改良ユニット４の容量に比べて、一例として、８倍以上の容量を持っている。
【００６７】
浴槽１としては、各種浴槽が該当し、家庭用の浴槽、病院、ホテル、旅館、温泉の浴槽が該当し、材質も各種様々である。一般に家庭用浴槽１は、合成樹脂等の各種材料から製造されている。この浴槽１は、大略、次の第１,第２のステップで使用される。
【００６８】
(第１ステップ)
浴槽１への新規給湯を行うか、もしくは、前日の使用後の浴槽水を再利用して不足分の浴槽水の給湯を行う。浴槽水は水温低下するので、給湯水は、高温給湯水とする。また、前日使用後の浴槽水は、有機物としての垢を含有している。
【００６９】
(第２ステップ)
浴槽移送循環ポンプ２で、浴槽１の浴槽水を配管３７経由で第１槽６に移送する。この第１槽６に浴槽水を移送することで、第１槽６に新たに導入された浴槽水は、自然流下方式で、順に、第２槽７、第３槽８、第４槽９、第５槽１０に移動する。そして、最後に、浴槽水は、第５槽１０からオバーフローして、リターン配管５０を経て、浴槽１に戻る。
【００７０】
また、前日の使用後の浴槽水を再利用している場合、前日の浴槽水は、水温が下がっていることと、浴槽水に有機物としての垢を含有している。
【００７１】
水温の低下対策としては、新たに別系統(図示せず)のボイラーラインの配管やボイラー設備で加温する。浴槽水に含有している有機物としての垢(アカ)対策としては、浴槽１と第５槽１０の間で循環させることによって、
特に、第４槽に充填されている活性炭２３に繁殖した微生物により、有機物としての垢が微生物活性した微生物により強力に酸化分解される。また、浴槽水を長い間再利用していると、一般に浴槽水が黄色に着色するが、活性炭２３により、着色成分が吸着処理される。吸着した成分は、活性炭２３に繁殖した微生物により、処理される。
【００７２】
すなわち、浴槽水は、浴槽移送循環ポンプ２を用いて、第１槽６から第５槽１０まで、オーバーフロー方式で移送オーバーフローさせて、最後には、浴槽１に戻る。
【００７３】
次に、第１〜第５の各槽について詳細に説明する。
【００７４】
第１槽６には、水中ポンプ型マイクロナノバブル発生機１１が設置されている。水中ポンプ型マイクロナノバブル発生機１１は、気体としての炭酸ガスをマイクロナノバブルとしての血流量増加作用がある炭酸ガスマイクロナノバブルを製造する。炭酸ガス供給ユニット３から発生する炭酸ガスは、炭酸ガス配管１２とバルブ１４で炭酸ガス量を調整されて、ブロワー１３に吸い込まれる。続いて、ブロワー１３は炭酸ガスを水中ポンプ型マイクロナノバブル発生機１１に吐出する。
【００７５】
ここで、炭酸ガス供給ユニット３について説明する。この炭酸ガス供給ユニット３は炭酸ガスボンベと減圧弁から構成されたユニットである。
【００７６】
なお、従来から、炭酸温水を製造する装置としては、各種メーカーから販売されている炭酸ガス溶解装置が存在していたが、炭酸ガスマイクロナノバブルや炭酸ガスナノバブルを含有する温水を製造する装置ではない。よって、従来からある炭酸温水製造装置では、溶解効率が悪く、炭酸ガスの使用量が多い。また、炭酸ガスが、炭酸ガスマイクロナノバブルや炭酸ガスナノバブルでなければ皮膚からの吸収が僅かである。例えば、ＭＲＣ・ホームプロダクツ株式会社や株式会社フォームによる炭酸ガスの温水への溶解装置がある。商品としては、ＭＲＣ・ホームプロダクツ株式会社の場合、人工炭酸泉製造装置として、一般向けとして、商品名『ソーダバス』や医療用としての『カーボセラ』である。それらの商品である『ソーダバス』や『カーボセラ』が製造する炭酸温水は、炭酸ガスマイクロナノバブルや炭酸ガスナノバブルを含有する炭酸温水ではないので、上述のように、特に、炭酸ガスが皮膚から多量に吸収され難い。つまり、含有する炭酸ガスがマイクロナノバブルやナノバブルではない炭酸温水では、炭酸ガスをマイクロナノバブルやナノバブルとして含有する炭酸温水と比較して、血流量増加作用が充分ではない。
【００７７】
これに対して、この実施形態では、水中ポンプ型マイクロナノバブル発生機１１は、炭酸ガス供給ユニット３から供給された炭酸ガスから炭酸ガスマイクロナノバブルを発生する。こうして、第１槽６において、浴槽水に炭酸ガスマイクロナノバブルが含有される。
【００７８】
一例として、この浴槽水には炭酸ガスが約１０００ｐｐｍ以上含有されることになる。この炭酸ガスが約１０００ｐｐｍ以上程度含有した浴槽水は、ｐＨが約５.０となる。このｐＨが約５.０でかつ炭酸ガスマイクロナノバブルを含有する浴槽水は、続いて第２槽７に下部より導入される。
【００７９】
第１槽６と第２槽７を仕切るために仕切板２４Ａが設置されている。この第２槽７には、炭酸カルシウム鉱物１６(例えば牡蠣ガラ)がネット収容器１５Ａの中に充填されている。導入される浴槽水のｐＨが５.０と酸性側に傾いていることによって、炭酸カルシウム鉱物１６(例えば牡蠣ガラ)が溶解し、主成分のカルシウムやマグネシウムが溶け出してくる。
【００８０】
浴槽水にカルシウムやマグネシウムが溶出してくることによって、水中ポンプ型マイクロナノバブル発生機１１はより効率的にマイクロナノバブルを発生することができる。このことは、後述のナノバブル発生機４８がナノバブルをより効率的に発生することと同様の現象である。たとえば、海水には無機イオンが多量に溶解しているので、マイクロバブルが効率的に発生することが、牡蠣やアコヤ貝の養殖において実証されている。事実、浴槽水に無機イオンを添加させた場合、マイクロバブルやマイクロナノバブルが効率良く発生した。
【００８１】
なお、マイクロナノバブル発生機１１は、一例として、使用空気量が約５リットル/分で、後述のナノバブル発生機４８の０.７リットル/分の約５倍である。そこて、牡蠣殻やサンゴ等の炭酸カルシウム鉱物を溶解するには、多量の空気が必要なことから、炭酸ガスマイクロナノバブル発生機１１を第１槽６に設置して、多量の炭酸ガスマイクロナノバブルで、第２槽７の炭酸カルシウム鉱物１６を溶解させている。また、人体への血流量増加対策としては、炭酸ガスナノバブルのみでは量的に少ない場合があることから、容易に製造可能でイニシャルコストの低いマイクロナノバブル発生機１１を用いて炭酸ガスマイクロナノバブルを利用している。
【００８２】
続いて、浴槽水は、第２槽７の上部から第３槽８に導入される。この第３槽８には炭酸カルシウム鉱物２２が設置されている。この炭酸カルシウム鉱物２２はネット収容器１５Ｂに充填されている。この第３槽８では、一例として、炭酸カルシウム鉱物２２としての寒水石(商品名)を採用した。この寒水石(商品名)は、牡蠣ガラよりも、はるかに硬く、重量も重い。しかし、牡蠣ガラと同様、時間はかかるが、浴槽水に溶解して、カルシウムが溶け出してくる。また、寒水石(商品名)は、中国地方の山から採掘される天然の鉱物であるため、その表面に微生物が繁殖して浴槽水中の有機物を分解する。
【００８３】
また、この実施形態では、この第３槽８の下部には、液体気体混合配管１８とナノバブル含有水を吐出する吐出口１９が必要に応じて設置されている。この液体気体混合配管１８は、バルブ１７でナノバブル量が調整されて、吐出口１９からナノバブル含有水を吐出する。このナノバブル含有水は、寒水石(商品名)を溶解し、カルシウムを溶出させたり、寒水石の表面に微生物を繁殖させたりする作用がある。
【００８４】
次に、浴槽水は、第３槽８の下部から第４槽９に導入される。仕切り板２４Ｃが第３槽８と第４槽９を仕切っている。この第４槽９には活性炭２３が設置されている。この活性炭２３は、ネット収容器１５Ｃに充填されている。この第４槽９は、充填物が炭酸カルシウム鉱物でなく活性炭２３である点が、第３槽８と異なる。活性炭２３は、浴槽水中の有機物や黄色着色成分を吸着処理する。また、この第４槽９では、液体気体混合配管２８にバルブ２０を介して接続された配管が活性炭２３の下方に延在している。この配管の吐出口２１からは、ナノバブルがバルブ２０で量を調整されて、吐出される。このナノバブルは、微生物を活性化する作用、および、有機物の高酸化作用を有し、有機物としての垢を酸化分解する作用がある。
【００８５】
次に、上記第４槽９の上部から、オーバーフローにより仕切り板２４Ｄから流出した浴槽水は、第５槽１０に導入される。この第５槽１０には、ｐＨ計２５が設置され、このｐＨ計２５は信号線２７ＡでｐＨ調節計２６に接続されている。また、この第５槽１０には、ナノバブル吐出口２９が設置されている。このナノバブル吐出口２９は液体気体混合配管３０に接続されている。この液体気体混合配管３０は、バルブ３２を経由して第５槽１０の外部に延在していると共に、気体せん断部３５を経由して、マイクロバブル発生部３４,気液混合循環ポンプ３３に接続している。また、マイクロバブル発生部３４は気液混合循環ポンプ３３に付属している。このマイクロバブル発生部３４には空気配管を介してニードルバルブ３６が接続されている。上記ナノバブル吐出口２９,液体気体混合配管３０,気体せん断部３５,マイクロバブル発生部３４を有する気液混合循環ポンプ３３,ニードルバルブ３６がナノバブル発生機４８を構成している。このナノバブル発生機４８としては、具体的一例として、ステンレス製の容器に収納したユニットとして販売されているものがある。
【００８６】
このナノバブル発生部３４は、開いたニードルバルブ３６を経由して気液混合循環ポンプ３３の吸い込み側から空気を自給する。また、このナノバブル発生部３４は、第５槽１０内の浴槽水を吸入する。このマイクロバブル発生部３４は、一例として特殊なケーシング構造をしている。このマイクロバブル発生部３４は、液体と気体としての空気とを、混合,撹拌,昇圧させて、マイクロバブルを生成させる。そして、生成したマイクロバブルを水配管を通じて気体せん断部３５に導入する。気体せん断部３５は、流体運動によりマイクロバブルをせん断することによって、マイクロバブルからナノバブルを発生させている。
【００８７】
このナノバブル発生のメカニズムを、次の第１,第２ステップにより、より詳細に説明する。
【００８８】
(第１ステップ)
マイクロバブル発生部３４において、流体力学的に圧力を制御することで、負圧形成部分から気体を吸入し、高速流体運動させて、負圧部を形成し、マイクロバブルを発生させる。より解り易く簡単に説明すると、水と空気を効果的に自給,混合,溶解し、圧送することにより、マイクロバブル白濁水を製造することが、第１ステップである。
【００８９】
(第２ステップ)
次に、気体せん断部３５において、上述の高速流体運動と負圧部の形成でもって発生されたマイクロバブルを、水配管を通じて気体せん断部３５に、導入し、流体運動としてせん断することによって、マイクロバブルからナノバブルを発生させる。
【００９０】
なお、この実施形態では、炭酸ガス供給ユニット３,ブロワー１３,水中ポンプ型マイクロナノバブル発生機１１は、信号線２７ＣでｐＨ調節計２６に接続されている。また、上記ナノバブル発生機４８は、信号線２７ＢでｐＨ調節計２６に接続されている。このｐＨ調節計２６は、第５槽１０内に設置されたｐＨ計２５に信号線２７Ａで接続されている。ｐＨ計２５は第５槽１０内の浴槽水のｐＨ値を計測し、このｐＨ値を表す信号をｐＨ調節計２６に入力する。このｐＨ調節計２６は、上記信号が表すｐＨ値に応じて、信号線２７Ｃ,２７Ｂに制御信号を出力して、炭酸ガス供給ユニット３,ブロワー１３,水中ポンプ型マイクロナノバブル発生機１１および上記ナノバブル発生機４８の運転を制御する。
【００９１】
この運転制御は、一例として、次のようになされる。すなわち、浴槽水を炭酸泉改良ユニット４に最初に導入した時点では、炭酸ガスマイクロナノバブルの炭酸ガスの影響により、ｐＨ約５.０であるが、時間の経過で浴槽水が、浴槽１と炭酸泉改良ユニット４との間で、循環する。これにより、浴槽水の浄化とｐＨの中性化が進行して、ｐＨが６.５になった時点で、炭酸ガス供給ユニット３、ブロワー１３、水中ポンプ型マイクロナノバブル発生機１１、ナノバブル発生機４８の全ては停止することになる。
【００９２】
この第１実施形態では、次に述べる効果がある。すなわち、この第１実施形態によれば、浴槽水に炭酸ガスマイクロナノバブルと空気ナノバブルを含有させて、浴槽１の浴槽水に浸かる人体に対する血流量を増加させると共に血行を促進させることができる。  また、血流量の増加により、免疫機能の回復等生体の機能が回復すると同時に、薬物を服用した場合は、薬物の作用を高める効果もあるので、少ない薬物量で、同じ効果を期待できる。
【００９３】
また、この実施形態の血流量増加装置４９による浴槽水によれば、人体に対する血流量増加作用を発揮すると同時に人体の皮膚に対する炭酸ガスマイクロナノバブルと空気ナノバブルによる洗浄効果もある。よって、この血流量増加装置４９の浴槽水を、顔,頭髪にも使用すれば、洗顔量、シャンプー、ボディーソープ等の使用量を減少させることもできる。
【００９４】
なお、ナノバブル発生機４８を基本的に構成している気液混合循環ポンプ３３,マイクロバブル発生部３４,気体せん断部３５,ニードルバルブ３６,ナノバブル吐出口２９のセットは、市販されているものを採用できるが、メーカーが特に限定されるものではない。具体的一例としては、株式会社 協和機設の商品を採用できるが、他の商品としても、他メーカーの商品も数多く販売されてくるものと予想されるが、目的にしたがって選定すればよい。また、水中ポンプ型マイクロナノバブル発生機１１は、一例として、野村電子工業株式会社の商品を採用したが、他メーカーの商品でも勿論構わない。
【００９５】
ここで、３種類のバブルについて説明する。
【００９６】
(ｉ) 通常のバブル(気泡)は水の中を上昇して、ついには表面でパンとはじけて消滅する。
【００９７】
(ii) マイクロバブルは、その発生時において、直径が１０〜数１０ミクロン(μｍ)の微細気泡で、発生後に収縮運動により一部マイクロナノバブルに変化する。
【００９８】
(iii) ナノバブルは、マイクロバブルよりさらに小さい数百ｎｍ以下の直径を有するバブル(代表的には直径が１ミクロン以下の１００〜２００ｎｍ)でいつまでも水の中に存在することが可能なバブルといわれている。
【００９９】
そして、マイクロナノバブルとは、マイクロバブルとナノバブルとが混合したバブルと説明できる。
【０１００】
(第２の実施の形態)
次に、図２に、この発明の第２実施形態の血流量増加装置５９を示す。図２に示すように、この第２実施形態は、前述の第１実施形態と比較して、次の点が異なる。すなわち、前述の第１実施形態では、ブロワー１３への気体の供給が、炭酸ガス供給ユニット３からの炭酸ガスのみであったが、この第２実施形態では、炭酸ガスと空気の両方を配管１２から水中ポンプ型マイクロナノバブル発生機１１に供給している。よって、この第２実施形態では、前述の第１実施形態と同じ部分については同じ符号を付けて詳細説明を省略し、前述の第１実施形態と異なる部分を説明する。
【０１０１】
この第２実施形態では、自動弁３９を開にすることで炭酸ガス供給ユニット３から配管１２を経由して水中ポンプ型マイクロナノバブル発生機１１に炭酸ガスを供給できる。また、自動弁３８を開にすることで水中ポンプ型マイクロナノバブル発生機１１に空気を供給可能である。よって、ｐＨ調節計２６から信号線２７Ｄを経由して送られてくる制御信号によって、空気と炭酸ガスのうちの一方または両方を自動的に選択してブロワー１３へ供給させる運転ができる。
【０１０２】
この第２実施形態では、ｐＨ調節計２６からの制御信号が、信号線２７Ｄによって、自動弁３８,自動弁３９,ブロワー１３,水中ポンプ型マイクロナノバブル発生機１１に入力される。このｐＨ調節計２６からの制御信号によって、自動弁３８の開閉と自動弁３９の開閉を制御することにより、空気と炭酸ガスを目的に応じて配管１２に供給してブロワー１３および水中ポンプ型マイクロナノバブル発生機１１を運転することができる。
【０１０３】
すなわち、この第２実施形態では、浴槽水のｐＨが６.５に達しており、溶存炭酸ガス濃度が１０００ｐｐｍ以上含有していて、浴槽水中の有機物としての垢を処理したい場合は、自動弁３９を閉とすると共に自動弁３８を開とする。これにより、炭酸ガスを配管１２に導入しないと共に空気をブロワー１３を介して水中ポンプ型マイクロナノバブル発生機１１に導入する。こうして、水中ポンプ型マイクロナノバブル発生機１１によって空気マイクロナノバブルを製造し、この空気マイクロナノバブルによって第２槽７,第３槽８,第４槽９に繁殖している微生物を活性化して、有機物としての垢を微生物学的に処理することができる。
【０１０４】
(第３の実施の形態)
次に、図３にこの発明の第３実施形態の血流量増加装置６９を示す。この第３実施形態は、前述の第１実施形態と比較して、次の点が異なっている。つまり、この第３実施形態では、ニードルバルブ３６に炭酸ガス供給ユニット４０を接続し、この炭酸ガス供給ユニット４０からナノバブル発生機４８に炭酸ガスを供給する点が、前述の第１実施形態と異なっている。よって、この第３実施形態では、前述の第１実施形態と同じ部分については、同じ符号を付けて詳細説明を省略し、前述の第１実施形態と異なる部分を説明する。
【０１０５】
この第３実施形態では、ナノバブル発生機４８に供給する気体を炭酸ガス供給ユニット４０からの炭酸ガスとした。すなわち、この第３実施形態では、炭酸ガス供給ユニット４０からの炭酸ガスをニードルバルブ３６で調整して、ナノバブル発生機４８のマイクロバブル発生部３４に供給している。なお、この炭酸ガス供給ユニット４０はｐＨ調節計２６から信号線２７Ｂに出力される制御信号によって気液混合循環ポンプ３３と連動するように稼動制御される。
【０１０６】
この第３実施形態では、炭酸ガスマイクロナノバブルと炭酸ガスナノバブルの両方を浴槽水に含有させることができるので、人体に対する血流量増加効果は、相当期待できる。特に、炭酸ガスナノバブルの血流量増加作用は、炭酸ガスマイクロナノバブルの血流量増加作用よりも格段に高い効果があるので、全体としては、より血流量増加効果の有るシステムとなる。
【０１０７】
特に、従来は少量しか皮膚表面から吸収されなかった炭酸ガスを、炭酸ガスナノバブルとしたことによって、気泡サイズを可能な限り縮小して、皮膚表面からの吸収,毛細血管への取り込みを図れる。よって、炭酸ガスが血液と共に全身を巡って、結果的には血流量増加、および血流量増加による各種疾病に有効な治療装置となる。
【０１０８】
また、ニードルバルブ３６からマイクロナノバブル発生部３４に供給される炭酸ガスの正確なガス量と気液混合循環ポンプ３３の電動機の正確な回転数によって、ナノサイズのバブルの発生状態を正確に制御して、ナノバブルを製造することができる。また、浴槽１に入浴した場合の血流量増加効果は、ナノサイズレベルといえども、このナノサイズの大小によっても差があることが判明している。よって、浴槽水の条件に合わせて、ニードルバルブ３６からの正確な空気量と気液混合循環ポンプ３３の電動機の正確な回転数にすることによって、ナノサイズのバブルを目的の所望の大きさで製造できる。
【０１０９】
(第４の実施の形態)
次に、図４に、この発明の第４実施形態である血流量増加装置７９を示す。この血流量増加装置７９は、前述の第２実施形態と比較して、次の点が異なる。すなわち、この第４実施形態の血流量増加装置７９は、空気だけでなく炭酸ガス供給ユニット４０からの炭酸ガスをナノバブル発生機４８に供給可能とした。よって、この第４実施形態では、前述の第２実施形態と同じ部分については、同じ符号を付けて詳細説明を省略して第２実施形態と異なる部分を説明する。
【０１１０】
この第４実施形態では、炭酸ガス供給ユニット４３からの炭酸ガスが自動弁４１を経由してニードルバルブ３６に供給されると共に、空気が自動弁４２を経由してニードルバルブ３６に供給される。この自動弁４１と４２および炭酸ガス供給ユニット４３は、ｐＨ調節計２６から信号線２７Ｂに出力される制御信号が入力される。
【０１１１】
この第４実施形態では、ニードルバルブ３６には、自動弁４１を経由する炭酸ガスまたは自動弁４２を経由する空気のいずれか一方もしくは両方が供給され、このニードルバルブ３６からマイクロナノバブル発生部３４に炭酸ガスまたは空気の一方もしくは両方が供給される。
【０１１２】
したがって、この第４実施形態では、炭酸ガスマイクロナノバブルおよび空気マイクロナノバブルと炭酸ガスナノバブルおよび空気ナノバブルとの両方を、浴槽水に含有させることができる。
【０１１３】
また、この第４実施形態では、炭酸ガスマイクロナノバブルと炭酸ガスナノバブルのいずれか一方または両方を浴槽水に含有させる選択が可能となる。また、この第４実施形態では、炭酸ガスマイクロナノバブルと空気マイクロナノバブルのいずれか一方または両方を浴槽水に含有させる選択が可能となる。また、この第４実施形態では、炭酸ガスナノバブルと空気ナノバブルのいずれか一方または両方を浴槽水に含有させる選択が可能となる。
【０１１４】
よって、この第４実施形態によれば、目的に応じて、炭酸ガスマイクロナノバブル,炭酸ガスナノバブル,空気マイクロナノバブル,空気ナノバブルの４種類のバブルのうちの所望のバブルを浴槽水に含有させることができる。人体に対する血流量増加効果は、空気よりも炭酸ガスの方が有利であるし、浴槽水の浄化に関しては、空気の方が有利となる。また、マイクロナノバブルとナノバブルでは、バブルのサイズからして、皮膚からの吸収の面でナノバブルの方が有利となる。
【０１１５】
よって、炭酸ガスマイクロナノバブルと炭酸ガスナノバブルとを適宜組み合わせて使用することによって、浴槽水のｐＨ５.０からｐＨ６.５までの中和や、人体への血流量増加作用が相当期待できる。特に、炭酸ガスナノバブルの血流量増加作用は、炭酸ガスマイクロナノバブルの血流量増加作用よりも各段に大きいので、全体システムとしては、炭酸ガスナノバブルを含むシステムは、血流量増加効果の大きなシステムとなる。特に、炭酸ガスナノバブルは、従来少量しか皮膚表面から吸収されなかった炭酸ガスの気泡を可能な限り縮小して、皮膚表面からの吸収、および毛細血管への取り込みを行い、血液と共に全身を巡って、結果的には、血流量増加、血流量増加による各種疾病に有効な治療装置となる。
【０１１６】
(第５の実施の形態)
次に、図５にこの発明の第５実施形態の血流量増加装置８９を示す。この第５実施形態の血流量増加装置８９は、前述の第１実施形態と比較して、次の点が異なっている。つまり、この第５実施形態では、ｐＨ計２５に替えて、溶存炭酸ガス計４４を第５槽１０に設置したと共に、ｐＨ調節計２６に替えて、溶存炭酸ガス調節計４５を備えた点が、前述の第１実施形態と異なる。よって、この第５実施形態では、第１実施形態と同じ部分については同じ符号を付けて詳細説明を省略し、前述の第１実施形態と異なる部分を説明する。
【０１１７】
この第５実施形態は、第５槽１０に設置した溶存炭酸ガス計４４は、浴槽水の炭酸ガス量を直接検知して、検知信号を溶存炭酸ガス調節計４５に送る。そして、溶存炭酸ガス調節計４５は、検知信号が表す炭酸ガス量に基づいて作成した制御信号を信号線２７Ｃと２７Ｂに出力する。
【０１１８】
前述の第１実施形態では、浴槽水に溶解している炭酸ガス量によるｐＨの変化を検知して、溶存炭酸ガス量を検知するシステムである。
【０１１９】
しかし、血流量増加作用は、本来、炭酸ガスマイクロナノバブルや炭酸ガスナノバブルにおける炭酸ガスにある。したがって、この第５実施形態では、前述の第１実施形態におけるｐＨ計２５やｐＨ調節計２６を用いた計測システムに替えて、より直接的に溶存炭酸ガス量を検知できる溶存炭酸ガス計４４と溶存炭酸ガス調節計４５を用いて、より直接的に溶存炭酸ガス量を検知する計測システムを採用している。
【０１２０】
もっとも、第１実施形態で採用するｐＨ計２５は、一般的であり、入手も容易であるので、システムを構築しやすい利点はあるのに対して、溶存炭酸ガス計４４は、一般的ではなく、メーカーも少ないと言う面がある。
【０１２１】
しかし、ｐＨ計２５やｐＨ調節計２６程でないが、溶存炭酸ガス計４４や溶存炭酸ガス調節計４５も、幾つかのメーカーから販売されている。例えば、東亜ディーケーケー株式会社の製品は、隔膜型電極法で液相の溶存炭酸ガス濃度を直接測定できる。また、エイブル株式会社の製品は、蒸気殺菌可能な計器であるというメリットがある。
【０１２２】
(第６の実施の形態)
次に、図６に、この発明の第６実施形態の血流量増加装置９９を示す。この第６実施形態の血流量増加装置９９は、前述の第５実施形態と比較して、次の点が異なる。つまり、前述の第５実施形態では、ブロワー１３への気体の供給が、炭酸ガス供給ユニット３からの炭酸ガスのみであったが、この第６実施形態では、炭酸ガスと空気の両方を配管１２から水中ポンプ型マイクロナノバブル発生機１１に供給している。よって、この第６実施形態では、前述の第５実施形態と同じ部分については同じ符号を付けて詳細説明を省略し、前述の第５実施形態と異なる部分を説明する。
【０１２３】
この第６実施形態では、自動弁３９を開にすることで炭酸ガス供給ユニット３から配管１２を経由して水中ポンプ型マイクロナノバブル発生機１１に供給できる。また、自動弁３８を開にすることで水中ポンプ型マイクロナノバブル発生機１１に空気を供給できる。よって、溶存炭酸ガス調節計４５から信号線２７Ｄを経由して送られてくる制御信号によって、空気と炭酸ガスを自動的に選択してブロワー１３へ供給させる運転ができる。
【０１２４】
この第６実施形態では、溶存炭酸ガス調節計４４からの制御信号が、信号線２７Ｄによって、自動弁３８,自動弁３９,ブロワー１３,水中ポンプ型マイクロナノバブル発生機１１に入力される。この溶存炭酸ガス調節計４４からの制御信号によって、自動弁３８の開閉と自動弁３９の開閉を制御することにより、空気と炭酸ガスを目的に応じて配管１２に供給してブロワー１３および水中ポンプ型マイクロナノバブル発生機１１を運転できる。
【０１２５】
すなわち、この第６実施形態では、浴槽水のｐＨが６.５に達しており、溶存炭酸ガス濃度が１０００ｐｐｍ以上含有していて、浴槽水中の有機物としての垢を処理したい場合は、自動弁３９を閉とすると共に自動弁３８を開とする。これにより、炭酸ガスを配管１２に導入しないと共に空気をブロワー１３を介して水中ポンプ型マイクロナノバブル発生機１１に導入する。こうして、水中ポンプ型マイクロナノバブル発生機１１によって空気マイクロナノバブルを製造し、この空気マイクロナノバブルによって第２槽７,第３槽８,第４槽９に繁殖している微生物を活性化して、有機物としての垢を微生物学的に処理することができる。よって、浴槽水の水質を向上させることができる。
【０１２６】
(第７の実施の形態)
次に、図７に、この発明の第７実施形態の血流量増加装置１０９を示す。この第７実施形態の血流量増加装置１０９は、前述の第１実施形態と比較して、次の(1),(2)の点が異なる。よって、この第７実施形態では、前述の第１実施形態と同じ部分については同じ符号を付けて詳細説明を省略し、前述の第１実施形態と異なる部分を説明する。
【０１２７】
(1) 前述の第１実施形態では、ブロワー１３への気体の供給が、炭酸ガス供給ユニット３からの炭酸ガスであったが、この第７実施形態では、配管１２からの空気をブロワー１３を介して水中ポンプ型マイクロナノバブル発生機１１に供給している。すなわち、この第７実施形態では、第１実施形態が備えていた炭酸ガス供給ユニット３を備えていない。
【０１２８】
(2) この第７実施形態では、第１水槽６の上部に比較的小型のネット状容器４６を設置し、この小型ネット状容器４６に炭酸ガス発泡固形剤４７を投入している。この炭酸ガス発泡固形剤４７は数多く商品化されている。この第７実施形態では、炭酸ガス発泡固形剤４７でもって浴槽水に炭酸ガスを供給している。
【０１２９】
したがって、この第７実施形態によれば、炭酸ガス供給ユニット３を設置していないことから、コストの低減や、炭酸ガス供給ユニット３のメンテナンスが必要無いという利点がある。この第７実施形態のように、ネット状容器４６に炭酸ガス発泡固形剤４７を投入して、炭酸ガスを浴槽水に溶解させる方法を採用した場合には、浴槽水の炭酸ガス濃度を約１０００ｐｐまで上昇させるには、商品によっても異なるが、炭酸ガス発泡固形剤４７は２０錠相当の量が必要である。
【０１３０】
なお、この炭酸ガス発泡固形剤４７としては、各種薬理作用を含有している商品も販売されているので、目的に応じて、この第７実施形態で採用する炭酸ガス発泡固形剤４７の種類を選定すればよい。代表的な炭酸ガス発泡固形剤として、花王株式会社の「バブ」(商品名)がある。この「バブ」によって浴槽水に炭酸ガスを含有させて、浴槽１に入浴することによって、血液の循環が改善される。すると、体内に溜まった乳酸などの疲労物質の代謝が促される。また、上記「バブ」によって発生させた炭酸ガスは、浴槽水に溶け込んで、入浴効果を高めて、血行を促進することが判明している。
【０１３１】
(実験例)
図１に示した血流量増加装置４９に基づき、浴槽１の容量が２ｍ３、第１槽６,第２槽７,第３槽８,第４槽９,および第５槽１０の合計容量が０.２ｍ３であり、気液混合循環ポンプ３３の電動機３.７ｋｗの仕様で、血液量増加装置４９を製作した。そして、糖尿病を１０年以上患っており、かつ薬物療法、食事療法、運動療法をきっちり実施している患者に、この血液量増加装置によって、対応治療する前と対応治療した後の血糖値(空腹時および食後)を比較した。この比較の結果、日によって異なるものの、平均して、対応治療後の血糖値は対応治療前の血糖値の３０％から６０％に低下していた。
【０１３２】
尚、上記第１〜第７実施形態のいずれかの血流量増加装置を備えた糖尿病治療装置によれば、上記血流量増加装置を活用して浴槽部で入浴した人体に対し、浴槽水に含まれる炭酸ガスマイクロナノバブルまたは炭酸ガスナノバブルの少なくとも一方でもって血流量を増加できる。この血流量の増加でもって、糖尿病の症状を大きく改善させることができる。また、上記血流量増加装置を備えた美容装置,育毛促進装置によれば、それぞれ、血流量増加効果でもって、美容促進,育毛促進が可能となる。また、上記血流量増加装置を備えた中枢神経疾患治療装置,心血管系疾患治療装置,代謝異常疾患治療装置,消化器疾患治療装置,運動器疾患治療装置,皮膚科領域疾患治療装置によれば、それぞれ、血流量増加効果でもって、各疾患の症状を改善できる。また、上記血流量増加装置の浴槽への入浴による人体の血流量増加でもって、各種薬物の服用による薬物が血管を通じて吸収され血液と共に全身を巡って薬理効果を一層発揮することが可能になる。
【図面の簡単な説明】
【０１３３】
【図１】この発明の血流量増加装置の第１実施形態を模式的に示す図である。
【図２】この発明の血流量増加装置の第２実施形態を模式的に示す図である。
【図３】この発明の血流量増加装置の第３実施形態を模式的に示す図である。
【図４】この発明の血流量増加装置の第４実施形態を模式的に示す図である。
【図５】この発明の血流量増加装置の第５実施形態を模式的に示す図である。
【図６】この発明の血流量増加装置の第６実施形態を模式的に示す図である。
【図７】この発明の血流量増加装置の第７実施形態を模式的に示す図である。
【符号の説明】
【０１３４】
１  浴槽
２  浴槽移送循環ポンプ
３  炭酸ガス供給ユニット
４  炭酸泉改良ユニット
５  マイクロナノバブル水流
６  第１槽
７  第２槽
８  第３槽
９  第４槽
１０  第５槽
１１  水中ポンプ型マイクロナノバブル発生機
１２  炭酸ガス配管
１３  ブロワー
１４  バルブ
１５Ａ〜１５Ｃ  ネット収容器
１６  炭酸カルシウム鉱物
１７  バルブ
１８  液体気体混合吐出配管
１９  吐出口
２０  バルブ
２１  液体気体混合吐出口
２２  炭酸カルシウム鉱物
２３  活性炭
２４Ａ〜２４Ｄ  仕切板
２５  ｐＨ計
２６  ｐＨ調節計
２７Ａ〜２７Ｄ  信号線
２８  液体気体混合配管
２９  ナノバブル吐出口
３０  液体気体混合配管
３１  バルブ
３２  バルブ
３３  気液混合循環ポンプ
３４  マイクロバブル発生部
３５  気体せん断部
３６  ニードルバルブ
３７  配管
３８  自動弁
３９  自動弁
４０  炭酸ガス供給ユニット
４１  自動弁
４２  自動弁
４３  炭酸ガス供給ユニット
４４  溶存炭酸ガス計
４５  溶存炭酸ガス調節計
４６  ネット状容器
４７  炭酸ガス発泡固形剤
４８  ナノバブル発生機
４９〜１０９  血流量増加装置
５０  リターン配管
【図１】
2008206887.tif 000003
【図２】
2008206887.tif 000004
【図３】
2008206887.tif 000005
【図４】
2008206887.tif 000006
【図５】
2008206887.tif 000007
【図６】
2008206887.tif 000008
【図７】
2008206887.tif 000009